(57)【要約】【課題】様々な傾斜角度で傾斜した地面に対応して設置できると共に、傾斜した地面に容易に設置できるフェンス及びその施工方法を提供すること。【解決手段】フェンス１０は、支柱１１と、回転部材本体３１と、回転部材本体３１に接続されるフック部３４と、を有する回転部材３０と、支柱１１に対して回転部材本体３１を回転可能な状態で、支柱１１と回転部材本体３１とを連結する回転軸部３１０と、フック部３４に取り付けられるフェンス本体２０と、を備える。【選択図】図７
2019019534.tif 000002
【特許請求の範囲】
【請求項１】
支柱と、
回転部材本体と、前記回転部材本体に接続されるフック部と、を有する回転部材と、
前記支柱に対して前記回転部材本体を回転可能な状態で、前記支柱と前記回転部材本体とを連結する回転軸部と、
前記フック部に取り付けられるフェンス本体と、を備えるフェンス。
【請求項２】
前記回転部材は、前記回転軸部が貫通して配置される長穴を有し、前記長穴に沿って前記支柱に対して移動可能に構成される請求項１に記載のフェンス。
【請求項３】
前記回転部材は、前記長穴に対応して前記長穴から前記支柱とは反対側に離間して配置される開口部を有し、
前記開口部は、
前記回転軸部の頭部よりも大きい頭部挿入用開口部と、
前記頭部挿入用開口部に連続して形成され前記長穴に沿って延びると共に前記回転軸部の頭部よりも幅の狭い長尺開口部と、を有する請求項２に記載のフェンス。
【請求項４】
前記支柱と前記回転部材本体との間に配置されるスペーサ部材を備える請求項１から３のいずれかに記載のフェンス。
【請求項５】
前記回転部材は、前記支柱の上下方向に離間して２つ設けられる請求項１から４のいずれかに記載のフェンス。
【請求項６】
請求項１から５のいずれかに記載のフェンスの施工方法であって、
前記支柱に前記回転部材を仮固定する仮固定工程と、
前記支柱に前記回転部材が仮固定された状態で、前記フェンス本体における予め設定された取付部分を前記フック部に取り付ける取付工程と、を備え、
前記取付工程において、前記回転部材の位置が調整されるフェンスの施工方法。
【発明の詳細な説明】
【技術分野】
【０００１】
本発明は、フェンス及びその施工方法に関する。
【背景技術】
【０００２】
従来、傾斜した地面に設置されるフェンスとして、フェンス本体を傾斜させた状態で、フェンス本体と支柱とを接続部材で接続するフェンスが知られている（例えば、特許文献１参照）。
また、傾斜した地面の傾斜角度に合わせて専用に製作されるフェンスが知られている（例えば、特許文献２参照）。
【先行技術文献】
【特許文献】
【０００３】
【特許文献１】特開２０１３−１８９７７３号公報
【特許文献２】特許第２６９９０５１号公報
【発明の概要】
【発明が解決しようとする課題】
【０００４】
傾斜角度が異なる地面にフェンスを設置する場合には、地面の傾斜角度に応じたフェンスの設置作業が生じるため、フェンスの設置に手間が掛かることがある。また、傾斜した地面の傾斜角度に合わせて専用のフェンスを製作することは、フェンスの製作に時間を要しやすい。
従って、様々な傾斜角度で傾斜した地面に対応して設置できると共に、傾斜した地面に容易に設置できるフェンスが求められている。
【０００５】
本発明は、様々な傾斜角度で傾斜した地面に対応して設置できると共に、傾斜した地面に容易に設置できるフェンス及びフェンスの施工方法を提供することを目的とする。
【課題を解決するための手段】
【０００６】
本発明は、支柱（例えば、後述の支柱１１）と、回転部材本体（例えば、後述の上側筒状体３１，３１Ａ，３１Ｂ、下側筒状体５１）と、前記回転部材本体に接続されるフック部（例えば、後述の上部フック部３４、第１上部フック部３８、第２上部フック部３９、第１下部フック部５８、第２下部フック部５９）と、を有する回転部材（例えば、後述の上部側取付部３０，３０Ａ，３０Ｂ、下部側取付部５０）と、前記支柱に対して前記回転部材本体を回転可能な状態で、前記支柱と前記回転部材本体とを連結する回転軸部（例えば、後述のネジ部材３１０，５１０）と、前記フック部に取り付けられるフェンス本体（例えば、後述のフェンス本体２０）と、を備えるフェンス（例えば、後述のフェンス１０）に関する。
【０００７】
また、前記回転部材は、前記回転軸部が貫通して配置される長穴（例えば、後述の移動用スリット３２１，５２１）を有し、前記長穴に沿って前記支柱に対して移動可能に構成されることが好ましい。
【０００８】
また、前記回転部材は、前記長穴に対応して前記長穴から前記支柱とは反対側に離間して配置される開口部（例えば、後述の前面開口部３３１，５３１）を有し、前記開口部は、前記回転軸部の頭部（例えば、後述の頭部３１０ｂ，５１０ｂ）よりも大きい頭部挿入用開口部（例えば、後述の頭部挿入用開口部３３２，５３２）と、前記頭部挿入用開口部に連続して形成され前記長穴に沿って延びると共に前記回転軸部の頭部よりも幅の狭い長尺開口部（例えば、後述の長尺スリット開口部３３３，５３３）と、を有することが好ましい。
【０００９】
また、前記支柱と前記回転部材本体との間に配置されるスペーサ部材（例えば、後述のスペーサ部材３７，５７）を備えることが好ましい。
【００１０】
また、前記回転部材は、前記支柱の上下方向に離間して２つ設けられることが好ましい。
【００１１】
また、本発明は、前記フェンスの施工方法であって、前記支柱に前記回転部材を仮固定する仮固定工程と、前記支柱に前記回転部材が仮固定された状態で、前記フェンス本体における予め設定された取付部分を前記フック部に取り付ける取付工程と、を備え、前記取付工程において、前記回転部材の位置が調整されるフェンスの施工方法に関する。
【発明の効果】
【００１２】
本発明によれば、様々な傾斜角度で傾斜した地面に対応して設置できると共に、傾斜した地面に容易に設置できるフェンス及びフェンスの施工方法を提供することができる。
【図面の簡単な説明】
【００１３】
【図１】本発明の第１実施形態のフェンスを水平な地面に設置した場合を示す正面図である。
【図２】第１実施形態のフェンスにおいて、所定の支柱における取付構造を示す正面図である。
【図３】図２のフェンスにおける支柱の上方側の取付構造を示す正面図である。
【図４】図２のフェンスにおける支柱の上方側の取付構造を示す断面図である。
【図５】図２のフェンスにおける支柱の下方側の取付構造を示す正面図である。
【図６】図２のフェンスにおける支柱の下方側の取付構造を示す断面図である。
【図７】第１実施形態のフェンスを傾斜した地面に設置した場合における所定の支柱の取付構造を示す正面図である。
【図８】図７のフェンスにおける支柱の上方側の取付構造を示す正面図である。
【図９】第１実施形態のフェンスの施工方法であって、フェンスを傾斜した地面に設置する場合において、上部側取付部及び下部側取付部を支柱に取り付けた状態を示す図である。
【図１０】第１実施形態のフェンスを施工方法であって、フェンス本体を上部側取付部及び下部側取付部に取り付けた状態を示す図である。
【図１１】第１実施形態の変形形態を示す図であって、フェンスの施工時にフェンス本体を仮置きする仮置き片を上部側取付部に設けた場合を示す図である。
【図１２】本発明の第２実施形態のフェンスを水平な地面に設置した場合を示す正面図である。
【図１３】第２実施形態のフェンスにおいて、所定の支柱における取付構造を示す正面図である。
【図１４】図１３のフェンスにおける支柱の上方側の取付構造を示す正面図である。
【図１５】図１３のフェンスにおける支柱の上方側の取付構造を示す断面図である。
【図１６】図１３のフェンスにおける支柱の下方側の取付構造を示す正面図である。
【図１７】図１３のフェンスにおける支柱の下方側の取付構造を示す断面図である。
【図１８】第２実施形態のフェンスを傾斜した地面に設置した場合における所定の支柱の取付構造を示す正面図である。
【図１９】図１８のフェンスにおける支柱の上方側の取付構造を示す正面図である。
【図２０】図１８のフェンスにおける支柱の下方側の取付構造を示す正面図である。
【発明を実施するための形態】
【００１４】
以下、本発明のフェンス１０の第１実施形態について、図面を参照しながら説明する。図１は、本発明の第１実施形態のフェンス１０を水平な地面１２に設置した場合を示す正面図である。図２は、第１実施形態のフェンス１０において、所定の支柱１１における取付構造を示す正面図である。図３は、図２のフェンス１０における支柱１１の上方側の取付構造を示す正面図である。図４は、図２のフェンス１０における支柱１１の上方側の取付構造を示す断面図である。図５は、図２のフェンス１０における支柱１１の下方側の取付構造を示す正面図である。図６は、図２のフェンス１０における支柱１１の下方側の取付構造を示す断面図である。図７は、第１実施形態のフェンス１０を傾斜した地面１２Ａに設置した場合における所定の支柱１１の取付構造を示す正面図である。図８は、図７のフェンス１０における支柱１１の上方側の取付構造を示す正面図である。
なお、本実施形態の説明においては、フェンス１０において、支柱１１及びフェンス本体２０が並ぶ方向を前後方向といい、支柱１１側を後側といい、フェンス本体２０側を前側という。
【００１５】
本実施形態のフェンス１０は、例えば、屋外に設置される間仕切りなどに用いられる。また、本実施形態のフェンス１０は、様々な傾斜角度で傾斜した地面１２，１２Ａに対応して設置可能である。まず、フェンス１０を水平な地面１２に設置した場合の構成について説明する。図１に示すように、第１実施形態のフェンス１０の高さは、例えば、高さＨ１（地面１２からフェンス本体２０の上端部までの高さ）である。
【００１６】
フェンス１０は、図１〜図６に示すように、複数の支柱１１と、複数のフェンス本体２０と、回転部材としての上部側取付部３０と、ネジ部材３１０（回転軸部）と、スペーサ部材３７と、下部側取付部４０と、ネジ部材４１０と、スペーサ部材４７と、を備える。
【００１７】
複数のフェンス本体２０は、図１及び図２に示すように、それぞれ、上部側取付部３０及び下部側取付部４０を介して、複数の支柱１１に取り付けられる。具体的には、フェンス本体２０は、フェンス１０の上部側において、上部側取付部３０の上部フック部３４（後述）に取り付けられ、フェンス１０の下部側において、下部側取付部４０の下部フック部４４（後述）に取り付けられる。また、上部側取付部３０は、ネジ部材３１０により、支柱１１に固定され、下部側取付部４０は、ネジ部材４１０により、支柱１１に固定される。
【００１８】
複数のフェンス本体２０は、複数の支柱１１の前側に配置される。複数の支柱１１は、鉛直方向に延びるように配置され、地面１２に立設される。図１及び図２においては、地面１２は、水平である。複数のフェンス本体２０は、所定方向に連設されている。
【００１９】
フェンス本体２０は、メッシュ状に形成される。フェンス本体２０は、複数の縦線材２１と複数の横線材２２とを格子状に組み付けることで形成され、縦線材２１と横線材２２の交差部分は、溶接により接合される。フェンス本体２０の上端部２０１及び下端部２０２は、複数の縦線材２１が前方側に突出する円弧状に形成される（図４及び図６参照）。
【００２０】
上部側取付部３０は、図３及び図４に示すように、ネジ部材３１０により、支柱１１に対して回転可能な状態で、支柱１１の上方側に取り付けられる。上部側取付部３０は、上側筒状体３１（回転部材本体）と、上部フック部３４（フック部）と、を有する。
【００２１】
上側筒状体３１は、上下方向に延びる方形筒状に形成され、支柱１１側に配置される背面板３２と、フェンス本体２０側に配置される前面板３３と、を有する。背面板３２及び前面板３３は、支柱１１におけるフェンス本体２０側の面に平行な方形板状に形成され、上下方向に延びる。背面板３２及び前面板３３は、互いに対向して、前後方向に離間して配置される。
【００２２】
背面板３２には、移動用スリット３２１（長穴）が形成される。移動用スリット３２１は、背面板３２を前後方向（水平方向）に貫通すると共に、背面板３２の幅方向の中央において、上側筒状体３１の長手方向に沿って延びる。移動用スリット３２１には、ネジ部材３１０が貫通して配置される。
【００２３】
ネジ部材３１０は、上側筒状体３１を、支柱１１に対して回転可能な状態で、支柱１１に固定する。ネジ部材３１０の軸部３１０ａは、上側筒状体３１の背面板３２及び支柱１１を前後方向に貫通して配置される。ネジ部材３１０の頭部３１０ｂは、移動用スリット３２１におけるフェンス本体２０側において上側筒状体３１の背面板３２を係止する。ネジ部材３１０の軸部３１０ａの先端は、支柱１１の背面において、ナット３１１により固定される。
【００２４】
移動用スリット３２１は、ネジ部材３１０の軸部３１０ａの径よりも広い幅であって、ネジ部材３１０の頭部３１０ｂの径よりも狭い幅で形成される。移動用スリット３２１には、ネジ部材３１０の軸部３１０ａが前後方向に貫通して配置される。ネジ部材３１０は、支柱１１に対して上側筒状体３１を回転させることが可能且つ移動用スリット３２１に沿って移動させることが可能な状態で、支柱１１と上側筒状体３１とを連結する。ネジ部材３１０が移動用スリット３２１に配置されることで、上側筒状体３１は、移動用スリット３２１に沿って支柱１１に対して移動可能である。
【００２５】
前面板３３には、前面開口部３３１が形成される。前面開口部３３１は、移動用スリット３２１に対応して、移動用スリット３２１からフェンス本体２０側（支柱１１とは反対側）に離間して配置される。前面開口部３３１は、頭部挿入用開口部３３２と、長尺スリット開口部３３３と、を有する。
【００２６】
頭部挿入用開口部３３２は、前面板３３を前後方向に貫通すると共に、前面板３３の上方側における背面板３２の移動用スリット３２１の上端部に対応する位置において円形状に形成される。頭部挿入用開口部３３２は、ネジ部材３１０の頭部３１０ｂの径よりも大きく形成される。
【００２７】
頭部挿入用開口部３３２には、移動用スリット３２１にネジ部材３１０の軸部３１０ａを挿入する際に、フェンス本体２０側から、ネジ部材３１０及びドライバー（工具）（図示せず）の先端が挿入される。頭部挿入用開口部３３２にネジ部材３１０が挿入されることで、ネジ部材３１０は、軸部３１０ａが、頭部挿入用開口部３３２及び移動用スリット３２１を通過して移動され、頭部３１０ｂが、頭部挿入用開口部３３２を通過して、移動用スリット３２１におけるフェンス本体２０側において背面板３２を係止する。
【００２８】
なお、本実施形態においては、頭部挿入用開口部３３２は開放された状態である。しかし、これに限定されず、頭部挿入用開口部３３２を覆うカバー部材（図示せず）を取り付けてもよい。ネジ部材３１０により上側筒状体３１を支柱に固定した後に、カバー部材（図示せず）により頭部挿入用開口部３３２を覆うようにカバー部材を取り付けることにより、頭部挿入用開口部３３２に指が入ることを抑制することができる。
【００２９】
長尺スリット開口部３３３は、前面板３３を前後方向に貫通する。長尺スリット開口部３３３は、頭部挿入用開口部３３２の下部に連続して形成され、前面板３３の幅方向の中央における移動用スリット３２１に対応した位置において、移動用スリット３２１（上側筒状体３１の長手方向）に沿って延びる。長尺スリット開口部３３３は、移動用スリット３２１に対してフェンス本体２０側に形成される。長尺スリット開口部３３３は、移動用スリット３２１の幅よりも僅かに広い幅であって、かつ、ネジ部材３１０（回転軸部）の頭部３１０ｂの径よりも狭い幅で形成される。
【００３０】
支柱１１と上側筒状体３１との間には、スペーサ部材３７が配置される。スペーサ部材３７は、ネジ部材３１０の軸部３１０ａの外周面に沿って配置される筒状に形成される。スペーサ部材３７は、支柱１１と上側筒状体３１とを離間させる。
【００３１】
以上のように構成される上部側取付部３０においては、ネジ部材３１０の軸部３１０ａが背面板３２の移動用スリット３２１（後述）に貫通して配置した状態で、ネジ部材３１０を完全に締め込まずに、支柱１１に仮固定する。このネジ部材３１０の仮固定の状態においては、上側筒状体３１は、ネジ部材３１０により、支柱１１に対して回転可能であり、かつ、支柱１１に対して移動用スリット３２１に沿って移動可能な状態で、仮固定状態で支柱１１に取り付けられる。
【００３２】
上部フック部３４は、図４に示すように、上側筒状体３１の上方側において、上側筒状体３１を前後方向に貫通して配置される。上部フック部３４は、一端に形成される引っ掛け部３４１と、引っ掛け部３４１の後端に接続される棒状の棒状部３４２と、を有する。
【００３３】
引っ掛け部３４１は、支柱１１側が開放した略Ｃ字形状に形成される。引っ掛け部３４１は、前面板３３よりも前方側に突出するように配置される。引っ掛け部３４１のＣ字形状の内側の部分には、フェンス本体２０の横線材２２が配置される。
【００３４】
棒状部３４２は、フェンス本体２０側から支柱１１側に前後方向に延びる棒状に形成される。棒状部３４２は、その軸を中心に上側筒状体３１に対して回転可能な状態で、上側筒状体３１を前後方向に貫通して配置される。棒状部３４２は、前端側が、引っ掛け部３４１のＣ字形状の部分の下端部に接続され、後端部が、上側筒状体３１の背面板３２の支柱１１側の面において、ナット３４３により固定される。
【００３５】
下部側取付部４０は、図５及び図６に示すように、上下方向に離間して配置される２つのネジ部材４１０により、支柱１１に対して回転不能な状態で、支柱１１の下方側に固定される。下部側取付部４０は、下側筒状体４１と、下部フック部４４と、を有する。下側筒状体４１は、上下方向に延びる方形筒状に形成され、支柱１１側に配置される背面板４２と、フェンス本体２０側に配置される前面板４３と、を有する。背面板４２及び前面板４３は、互いに対向して、前後方向に離間して配置される。
【００３６】
背面板４２には、上下方向に離間して配置される２つのネジ穴４２１が形成される。ネジ穴４２１は、円形状に形成され、前後方向に貫通する。ネジ穴４２１には、ネジ部材４１０が貫通して配置される。
【００３７】
ネジ部材４１０は、下側筒状体４１を、支柱１１に対して回転不能な状態で、支柱１１に固定する。ネジ部材４１０の軸部４１０ａは、下側筒状体４１の背面板４２及び支柱１１を前後方向に貫通して配置される。ネジ部材４１０の頭部４１０ｂは、ネジ穴４２１におけるフェンス本体２０側において下側筒状体４１の背面板４２を係止する。ネジ部材４１０の軸部４１０ａの先端は、支柱１１の背面において、ナット４１１により固定される。
【００３８】
ネジ穴４２１は、ネジ部材４１０の軸部４３２ａの径よりも大きく形成され、ネジ部材４１０の頭部４３２ｂの径よりも小さく形成される。
【００３９】
前面板４３には、上下方向に離間して配置されると共にネジ穴４２１に対応する２つのネジ挿入用開口４３１が形成される。ネジ挿入用開口４３１は、ネジ部材４１０の頭部４３２ｂの径よりも大きく形成される。ネジ挿入用開口４３１には、ネジ穴４２１にネジ部材４１０を挿入する際に、ネジ部材４１０及びドライバー（工具）（図示せず）の先端が挿入される。
【００４０】
支柱１１と下側筒状体４１との間には、スペーサ部材４７が配置される。スペーサ部材４７は、ネジ部材４１０の軸部４１０ａの外周面に沿って配置される筒状に形成される。スペーサ部材４７は、支柱１１と下側筒状体４１とを離間させる。
【００４１】
下部フック部４４は、図６に示すように、下側筒状体４１におけるネジ部材４１０が支柱１１に固定される位置よりも下方側において、下側筒状体４１を前後方向に貫通して配置される。下部フック部４４は、一端に形成される引っ掛け部４４１と、引っ掛け部４４１の後端に接続される棒状の棒状部４４２と、を有する。
【００４２】
引っ掛け部４４１は、支柱１１側が開放した略Ｃ字形状に形成される。引っ掛け部４４１は、前面板４３よりも前方側に突出するように配置される。引っ掛け部４４１のＣ字形状の内側の部分には、フェンス本体２０の横線材２２が配置される。
【００４３】
棒状部４４２は、フェンス本体２０側から支柱１１側に前後方向に延びる棒状に形成される。棒状部４４２は、その軸を中心に下側筒状体４１に対して回転可能な状態で、下側筒状体４１を前後方向に貫通して配置される。棒状部４４２は、前端側が、引っ掛け部４４１のＣ字形状の部分の下端部に接続され、後端部が、下側筒状体４１の背面板４２の支柱１１側の面において、ナット４４３により固定される。
【００４４】
以上のように構成されるフェンス１０を、図２に示すように、水平な地面１２に設置する場合には、支柱１１に上部側取付部３０を仮固定した状態で、例えば、最も左側の支柱１１において、下部側取付部４０の下部フック部４４に、左から２番目であって下から４本目の横線材２２（ｘ２、ｙ４）を引っ掛け、上部側取付部３０の上部フック部３４に、左から２番目であって下から９本目の横線材２２（ｘ２、ｙ９）を引っ掛けることで、フェンス本体２０を上部側取付部３０及び下部側取付部４０に配置する。
【００４５】
また、フェンス１０を、図７に示すように、傾斜角度αで傾斜した地面１２Ａに設置する場合には、支柱１１に上部側取付部３０を仮固定した状態で、例えば、最も左側の支柱１１において、下部側取付部４０の下部フック部４４に、左から２番目であって下から４本目の横線材２２（ｘ２、ｙ４）を引っ掛け、上部側取付部３０を移動用スリット３２１に沿って移動させ且つ回転させることで上部側取付部３０の配置位置を調整して、上部側取付部３０の上部フック部３４に、左から８番目であって下から９本目の横線材２２（ｘ８、ｙ９）を引っ掛けることで、フェンス本体２０を上部側取付部３０及び下部側取付部４０に配置する。
【００４６】
次に、フェンス１０を傾斜した地面１２Ａに施工する場合におけるフェンス１０の施工方法について説明する。図９は、第１実施形態のフェンス１０の施工方法であって、フェンス１０を傾斜した地面１２Ａに設置する場合において、上部側取付部３０及び下部側取付部４０を支柱１１に取り付けた状態を示す図である。図１０は、第１実施形態のフェンス１０を施工方法であって、フェンス本体２０を上部側取付部３０及び下部側取付部４０に取り付けた状態を示す図である。
【００４７】
傾斜角度αで傾斜した地面１２Ａにフェンス１０を設置する場合について説明する。
まず、図９に示すように、フェンス１０を傾斜した地面１２Ａに施工する場合には、傾斜した地面１２Ａにおいて、支柱１１を鉛直方向（重力方向）に沿うように設置し、下部側取付部４０をネジ部材４１０により支柱１１の下部側に固定する。また、上部側取付部３０をネジ部材３１０により支柱１１の上部側において仮止めすることで、支柱１１に上部側取付部３０を仮固定する（仮固定工程）。
【００４８】
次に、図１０及び図１１に示すように、支柱１１に上部側取付部３０を仮固定した状態で、下部側取付部４０の下部フック部４４にフェンス本体２０の所定部分の横線材２２を引っ掛けた状態で、上部側取付部３０の上部フック部３４にフェンス本体２０の所定部分の横線材２２（予め設定された取付部分）を引っ掛けるように、上部側取付部３０を移動用スリット３２１に沿って移動させ且つ回転させることで上部側取付部３０の配置位置を調整して、フェンス本体２０を上部側取付部３０に取り付ける（取付工程）。これにより、上部側取付部３０の支柱１１に対する位置が調整される。
その後、フェンス本体２０の位置が決定した後に、ネジ部材３１０を締め付けることで、上部側取付部３０を支柱１１に本固定する。
【００４９】
ここで、フェンス本体２０における下部フック部４４及び上部フック部３４に引っ掛ける横線材２２の取付部分は、事前の試験などに基づいて予め設定されており、施工説明書などに記載される。本実施形態においては、図７に示すフェンス１０の最も左側の支柱１１においては、例えば、フェンス１０の高さＨ１（地面１２からフェンス本体２０の上端部までの高さ）（例えば、Ｈ１＝８００ｍｍ）である場合に、地面１２，１２Ａの傾斜角度αが様々な場合に対応して、下部フック部４４及び上部フック部３４を引っ掛ける横線材２２を、事前の試験などにより予め確認して、この内容を施工説明書などに記載しておく。
【００５０】
例えば、下部フック部４４及び上部フック部３４に引っ掛ける横線材２２における取付部分は、［上部フック部３４（横線材２２のｘ方向位置、横線材２２のｙ方向位置）、下部フック部４４（横線材２２のｘ方向位置、横線材２２のｙ方向位置）］とした場合に、地面１２の傾斜角度αが０°である場合、［上部フック部３４（ｘ２、ｙ９）、下部フック部４４（ｘ２、ｙ４）］であり、地面１２Ａの傾斜角度αが１５°である場合、［上部フック部３４（ｘ５、ｙ９）、下部フック部４４（ｘ２、ｙ４）］であり、地面１２Ａの傾斜角度αが３０°である場合、［上部フック部３４（ｘ８、ｙ９）、下部フック部４４（ｘ２、ｙ４）］であり、地面１２Ａの傾斜角度αが３５°である場合、［上部フック部３４（ｘ９、ｙ９）、下部フック部４４（ｘ２、ｙ４）］であることが予め確認されており、この内容を施工説明書などに記載しておく。
【００５１】
例えば、地面１２Ａの傾斜角度αが３０°である場合には、図１０に示すように、引っ掛ける横線材２２における取付部分（ｘ方向位置、ｙ方向位置）は、［上部フック部３４（ｘ８、ｙ９）、下部フック部４４（ｘ２、ｙ４）］である。そのため、下部フック部４４に、左から２番目であって下から４本目の横線材２２（ｘ２、ｙ４）を引っ掛け、上部フック部３４に、左から８番目であって下から９本目の横線材２２（ｘ８、ｙ９）を引っ掛けることで、フェンス本体２０を、上部側取付部３０及び下部側取付部４０に配置する。
【００５２】
フェンス本体２０を傾けて配置する際に、下部側取付部４０における下部フック部４４に縦線材２１を引っ掛けた状態で、上部側取付部３０を移動用スリット３２１に沿って移動させ且つ回転させることで上部側取付部３０の配置位置を調整しながら、上部側取付部３０の上部フック部３４に横線材２２を引っ掛ける。これにより、フェンス本体２０を、上部側取付部３０及び下部側取付部４０に容易に取り付けることができる。
【００５３】
以上のように構成されるフェンス１０は、様々な傾斜角度の地面１２Ａに対応できる。また、様々な傾斜角度の地面１２Ａに、フェンス１０を、簡単に施工することができる。
【００５４】
以上説明した本実施形態のフェンス１０によれば、以下のような効果を奏する。
本実施形態のフェンス１０は、支柱１１と、上側筒状体３１と上部フック部３４とを有する上部側取付部３０と、支柱１１に対して上側筒状体３１を回転可能な状態で、支柱１１と上側筒状体３１とを連結するネジ部材３１０と、上部フック部３４に取り付けられるフェンス本体２０と、を備える。そのため、上部側取付部３０を回転させることにより、フェンス本体２０の支柱１１への取り付け角度を変更できる。これにより、様々な傾斜角度の地面１２Ａに対応して、フェンス１０を支柱１１に容易に設置できる。
【００５５】
また、本実施形態においては、上部側取付部３０は、ネジ部材３１０が貫通して配置される移動用スリット３２１を有し、移動用スリット３２１に沿って支柱１１に対して移動可能に構成される。これにより、上部側取付部３０を回転させると共に移動用スリット３２１に沿って移動させることにより、フェンス本体２０の支柱１１への取り付け角度に柔軟に対応して、フェンス本体２０を支柱１１に取り付けることができる。よって、様々な傾斜角度の地面１２Ａに対応して、フェンス１０を支柱１１に一層容易に設置できる。
【００５６】
また、本実施形態においては、上部側取付部３０は、移動用スリット３２１に対応して移動用スリット３２１から支柱１１とは反対側に離間して配置される前面開口部３３１を有し、前面開口部３３１は、ネジ部材３１０の頭部３１０ｂよりも大きい頭部挿入用開口部３３２と、頭部挿入用開口部３３２に連続して形成され移動用スリット３２１に沿って延びると共にネジ部材３１０の頭部よりも幅の狭い長尺スリット開口部３３３と、を有する。そのため、ネジ部材３１０を頭部挿入用開口部３３２から挿入して移動用スリット３２１に配置できる。また、移動用スリット３２１に配置されるネジ部材３１０の頭部３１０ｂの位置を、長尺スリット開口部３３３を介して、外部から視認して確認でき、かつ、ネジ部材３１０の頭部よりも幅の狭い長尺スリット開口部３３３により、ネジ部材３１０の頭部３１０ｂの縁部を、外部から視認しにくいように覆うことができる。よって、ネジ部材３１０の頭部３１０ｂの縁部を覆うことで意匠性を維持しつつ、上部側取付部３０を移動用スリット３２１に対して移動させる際のネジ部材３１０の位置を外部から確認できることができる。
【００５７】
また、本実施形態においては、支柱１１と上部側取付部３０との間に配置されるスペーサ部材３７を備える。そのため、上部側取付部３０をネジ部材３１０を中心に回転させる場合に、上部側取付部３０が他の部材に当接することを抑制できるため、上部側取付部３０の回転を妨げることを抑制できる。
【００５８】
また、本実施形態のフェンスの施工方法は、支柱１１に上部側取付部３０を仮固定する仮定工程と、支柱１１に上部側取付部３０が仮固定された状態で、フェンス本体２０における予め設定された取付部分を上部フック部３４に取り付ける取付工程と、を備え、取付工程において、上部側取付部３０の位置が調整される。そのため、フェンス本体２０における予め設定された取付部分に上部フック部３４に取り付けるだけで、様々な傾斜角度の地面１２Ａに応じて、フェンス１０を支柱１１に容易に設置できる。
【００５９】
第１実施形態の変形形態について説明する。図１１は、第１実施形態の変形形態を示す図であって、フェンス１０Ａの施工時にフェンス本体２０Ａを仮置きできる仮置き片３３４を上部側取付部３０Ａに設けた場合を示す図である。
【００６０】
第１実施形態の変形形態は、上部側取付部３０Ａの前側の表面に、仮置き片３３４（仮置き部）を配置した構成である。上部側取付部３０Ａは、第１実施形態の上部側取付部３０よりも上方側に延在して構成される。
【００６１】
仮置き片３３４は、固定板３３４ａと、引っ掛け片３３４ｂと、を有する。
固定板３３４ａは、上下方向に延びる板状に形成される。固定板３３４ａは、上部側取付部３０にフェンス本体２０が取り付けられた場合のフェンス本体２０の上端部よりも上方側において、上部側取付部３０の前側の表面に固定される。引っ掛け片３３４ｂは、固定板３３４ａの上端から前側に突出する水平突出片３３４ｃと、水平突出片３３４ｃの先端から上方に突出する垂直片３３４ｄと、を有する。
【００６２】
第１実施形態の変形形態のフェンス１０においては、上部側取付部３０にフェンス本体２０を取り付ける際に、フェンス本体２０の上端部２０１の円弧状部を、仮置き片３３４に引っ掛けて、仮置きすることができる。これにより、例えば、一人での作業が容易となるため、施工性を向上できる。
【００６３】
次に、本発明の第２実施形態について説明する。図１２は、本発明の第２実施形態のフェンス１０Ｂを水平な地面１２に設置した場合を示す正面図である。図１３は、第２実施形態のフェンス１０Ｂにおいて、所定の支柱１１における取付構造を示す正面図である。図１４は、図１３のフェンス１０Ｂにおける支柱１１の上方側の取付構造を示す正面図である。図１５は、図１３のフェンス１０Ｂにおける支柱１１の上方側の取付構造を示す断面図である。図１６は、図１３のフェンス１０Ｂにおける支柱１１の下方側の取付構造を示す正面図である。図１７は、図１３のフェンス１０Ｂにおける支柱１１の下方側の取付構造を示す断面図である。図１８は、第２実施形態のフェンス１０Ｂを傾斜した地面１２Ａに設置した場合における所定の支柱１１の取付構造を示す正面図である。図１９は、図１８のフェンス１０Ｂにおける支柱１１の上方側の取付構造を示す正面図である。図２０は、図１８のフェンス１０Ｂにおける支柱１１の下方側の取付構造を示す正面図である。
【００６４】
図１２に示すように、第２実施形態のフェンス１０Ｂは、第１実施形態のフェンス１０に比べて、主に、フェンス本体２０Ｂの高さが異なる。第２実施形態のフェンス本体２０Ｂの高さＨ２（地面１２の表面からフェンス本体２０の上端部までの高さ）は、第１実施形態のフェンス本体２０が高さＨ１（例えば、Ｈ１＝８００ｍｍ）であるのに対して、図１２に示すように、高さＨ１よりも高い高さＨ２（例えば、Ｈ２＝１８００ｍｍ）である（高さＨ２＞高さＨ１）。
【００６５】
また、第２実施形態のフェンス１０Ｂは、第１実施形態のフェンス１０よりも高さが高いことから、フック部の数が、第１実施形態では、２つ（上部フック部３４及び下部フック部４４）であるのに対して、第２実施形態では、４つ（第１上部フック部３８、第２上部フック部３９、第１下部フック部５８及び第２下部フック部５９）である。また、第２実施形態では、第１実施形態の下部側取付部４０に代えて、下部側取付部５０とした点において、第１実施形態と異なる。第２実施形態の下部側取付部５０は、第１実施形態の下部側取付部４０のように回転及び移動しない構成ではなく、第１実施形態の上部側取付部３０のように、フェンス本体２０Ｂの取付位置の調整の際に、回転及び移動する構成である。第２実施形態の説明にあたって、第１実施形態の構成と同一の構成については同一符号を付し、その説明を省略もしくは簡略化する。
【００６６】
第２実施形態のフェンス１０Ｂは、図１２〜図１７に示すように、複数の支柱１１と、複数のフェンス本体２０Ｂと、回転部材としての上部側取付部３０Ｂと、ネジ部材３１０（回転軸部）と、スペーサ部材３７と、回転部材としての下部側取付部５０と、ネジ部材５１０（回転軸部）と、スペーサ部材５７と、を備える。上部側取付部３０Ｂ及び下部側取付部５０は、上下方向に離間して設けられる。
【００６７】
上部側取付部３０Ｂは、図１３に示すように、ネジ部材３１０により、支柱１１の上方側に取り付けられる。上部側取付部３０Ｂは、図１４及び図１５に示すように、上下方向に延びる上側筒状体３１Ｂ（回転部材本体）と、第１上部フック部３８と、第２上部フック部３９と、を有する。
【００６８】
上側筒状体３１Ｂは、第１実施形態の上側筒状体３１と比べて、長手方向の長さが長く形成される。同様に、第２実施形態の背面板３２、前面板３３、移動用スリット３２１及び長尺スリット開口部３３３は、第１実施形態の背面板３２、前面板３３、移動用スリット３２１及び長尺スリット開口部３３３と比べて、長手方向の長さが長く形成される。
【００６９】
第１上部フック部３８は、上側筒状体３１Ｂの長手方向の上部側に配置され、第２上部フック部３９は、上側筒状体３１Ｂの長手方向の下部側に配置される。第１上部フック部３８及び第２上部フック部３９の構成は、前述の第１実施形態の上部フック部３４と同様の構成である。対応する構成については、対応する符号を付けて、その説明を省略もしくは簡略化する。
【００７０】
下部側取付部５０は、図１３に示すように、ネジ部材５１０により、支柱１１の下方側に取り付けられる。下部側取付部５０は、図１６及び図１７に示すように、上下方向に延びる下側筒状体５１（回転部材本体）と、第１下部フック部５８と、第２下部フック部５９と、を有する。
【００７１】
下部側取付部５０は、上部側取付部３０Ｂの構成とほぼ同様の構成を有し、支柱１１の下方側に配置される。下部側取付部５０の説明にあたって、説明しない点については上部側取付部３０Ｂと同様の構成であり、上部側取付部３０Ｂの構成に対応する構成については、対応する符号を付けて、その説明を省略もしくは簡略化する。
【００７２】
下部側取付部５０と上部側取付部３０Ｂとは、配置される位置の違いの他に次のような違いがある。下部側取付部５０における下側筒状体５１の移動用スリット５２１及び前面開口部５３１は、上部側取付部３０Ａにおける上側筒状体３１Ａの移動用スリット３２１及び長尺スリット開口部３３３と比べて、配置される位置及び長さが異なる。具体的には、下部側取付部５０における下側筒状体５１の移動用スリット５２１及び前面開口部５３１は、下側筒状体５１における長手方向の中央よりも下方の位置に形成され、上部側取付部３０Ａにおける上側筒状体３１Ａの移動用スリット３２１及び長尺スリット開口部３３３の長さよりも短く形成される。
【００７３】
また、下側筒状体５１のネジ部材５１０は、上側筒状体３１のネジ部材３１０と比べて、配置される位置が異なる。下側筒状体５１のネジ部材５１０の固定位置は、下側筒状体５１の長手方向の中央よりも下方に配置される。
【００７４】
次に、図１８に示すように、傾斜角度αで傾斜した地面１２Ａにフェンス１０Ｂを設置する場合について説明する。
フェンス１０Ｂを傾斜した地面１２Ａに施工する場合には、傾斜した地面１２Ａにおいて、支柱１１を鉛直方向（重力方向）に沿うように設置し、下部側取付部５０をネジ部材５１０により支柱１１の下部側において仮止めすることで、支柱１１に下部側取付部５０を仮固定する（仮固定工程）。また、上部側取付部３０Ｂをネジ部材３１０により支柱１１の上部側において仮止めすることで、支柱１１に上部側取付部３０Ｂを仮固定する（仮固定工程）。
【００７５】
次に、図１８〜図２０に示すように、支柱１１に下部側取付部５０及び上部側取付部３０Ｂを仮固定した状態で、下部側取付部５０の第１下部フック部５８及び第２下部フック部５９に、フェンス本体２０Ｂの所定部分の横線材２２（予め設定された取付部分）を引っ掛けると共に、上部側取付部３０Ｂの第１上部フック部３８及び第２上部フック部３９に、フェンス本体２０Ｂの所定部分の横線材２２（予め設定された取付部分）を引っ掛けるように、上部側取付部３０Ｂを移動用スリット３２１に沿って移動させ且つ回転させることで上部側取付部３０Ｂの配置位置を調整し、かつ、下部側取付部５０を移動用スリット５２１に沿って移動させ且つ回転させることで下部側取付部５０の配置位置を調整して、フェンス本体２０Ｂを上部側取付部３０Ｂ及び下部側取付部５０に取り付ける（取付工程）。これにより、下部側取付部５０及び上部側取付部３０Ｂの支柱１１に対する位置が調整される。
その後、フェンス本体２０Ｂの位置が決定した後に、ネジ部材３１０，５１０を締め付けることで、上部側取付部３０Ａ及び下部側取付部５０を支柱１１に本固定する。
【００７６】
ここで、フェンス本体２０Ｂにおける第１下部フック部５８、第２下部フック部５９、第１上部フック部３８及び第２上部フック部３９に引っ掛ける横線材２２は、第１下部フック部５８、第２下部フック部５９、第１上部フック部３８及び第２上部フック部３９を取り付けるための取付部分として予め設定されており、施工説明書などに記載される。本実施形態においては、図１８に示すフェンス１０Ｂの最も左側の支柱１１においては、例えば、フェンス１０Ｂの高さＨ２（地面１２からフェンス本体２０の上端部までの高さ）（例えば、Ｈ２＝１８００ｍｍ）である場合に、地面１２，１２Ａの傾斜角度αが様々な場合に対応して、第１上部フック部３８、第２上部フック部３９、第１下部フック部５８及び第２下部フック部５９を引っ掛ける横線材２２（取付部分）を、事前の試験などにより予め確認して、この内容を施工説明書などに記載しておく。
【００７７】
例えば、第１上部フック部３８、第２上部フック部３９、第１下部フック部５８及び第２下部フック部５９に引っ掛ける横線材２２における取付部分は、［第１上部フック部３８（横線材２２のｘ方向位置、横線材２２のｙ方向位置）、第２上部フック部３９（横線材２２のｘ方向位置、横線材２２のｙ方向位置）、第１下部フック部５８（横線材２２のｘ方向位置、横線材２２のｙ方向位置）、第２下部フック部５９（横線材２２のｘ方向位置、横線材２２のｙ方向位置）］とした場合に、地面１２Ａの傾斜角度αが０°である場合、［第１上部フック部３８（ｘ２、ｙ１６）、第２上部フック部３９（ｘ２、ｙ１２）、第１下部フック部５８（ｘ２、ｙ８）、第２下部フック部５９（ｘ２、ｙ４）］であり、地面１２Ａの傾斜角度αが１５°である場合、［第１上部フック部３８（ｘ１０、ｙ１６）、第２上部フック部３９（ｘ１０、ｙ１２）、第１下部フック部５８（ｘ３、ｙ８）、第２下部フック部５９（ｘ３、ｙ４）］であり、地面１２Ａの傾斜角度αが３０°である場合、［第１上部フック部３８（ｘ１８、ｙ１６）、第２上部フック部３９（ｘ１８、ｙ１２）、第１下部フック部５８（ｘ５、ｙ８）、第２下部フック部５９（ｘ５、ｙ４）］であり、地面１２Ａの傾斜角度αが３５°である場合、［第１上部フック部３８（ｘ２０、ｙ１６）、第２上部フック部３９（ｘ２０、ｙ１２）、第１下部フック部５８（ｘ５、ｙ８）、第２下部フック部５９（ｘ５、ｙ４）］であることが予め確認されており、この内容を施工説明書などに記載しておく。
【００７８】
例えば、地面１２Ａの傾斜角度αが３０°である場合には、図１８に示すように、引っ掛ける横線材２２における取付部分（ｘ方向位置、ｙ方向位置）は、［第１上部フック部３８（ｘ１８、ｙ１６）、第２上部フック部３９（ｘ１８、ｙ１２）、第１下部フック部５８（ｘ５、ｙ８）、第２下部フック部５９（ｘ５、ｙ４）］である。そのため、第１上部フック部３８に、左から１８番目であって下から１６本目の横線材２２（ｘ１８、ｙ１６）を引っ掛けると共に、第２上部フック部３９に、左から１８番目の横線材２２（ｘ１８）であって下から１２本目の横線材２２（ｙ１２）を引っ掛かけ、かつ、第１下部フック部５８に、左から５番目であって下から８本目の横線材２２（ｘ５、ｙ８）を引っ掛けると共に、第２下部フック部５９に、左から５番目であって下から２本目の横線材２２（ｘ５、ｙ２）を引っ掛けて配置することで、フェンス本体２０Ｂを上部側取付部３０Ｂ及び下部側取付部５０に配置する。
【００７９】
フェンス本体２０Ｂを傾けて配置する際に、上部側取付部３０を移動用スリット３２１に沿って移動させ且つ回転させることで上部側取付部３０の配置位置を調整し、かつ、下部側取付部５０を移動用スリット５２１に沿って移動させ且つ回転させることで下部側取付部５０の配置位置を調整しながら、下部側取付部５０における第１下部フック部５８及び第２下部フック部５９に横線材２２に引っ掛けると共に、上部側取付部３０Ｂにおける第１上部フック部３８及び第２上部フック部３９に横線材２２に引っ掛ける。これにより、フェンス本体２０を、上部側取付部３０Ｂ及び下部側取付部５０に容易に取り付けることができる。
【００８０】
以上のように構成されるフェンス１０Ｂは、様々な傾斜角度の地面１２Ａに対応できる。また、様々な傾斜角度の地面１２Ａに、フェンス１０Ｂを、簡単に施工することができる。
【００８１】
第２実施形態のフェンス１０Ｂは、第１実施形態のフェンス１０と同様の効果を奏する。
また、第２実施形態においては、上部側取付部３０Ｂ及び下部側取付部５０は、支柱１１の上下方向に離間して２つ設けられる。そのため、フェンス１０Ｂの角度の調整を上部側取付部３０Ｂ及び下部側取付部５０の両方で行うことができるため、フェンス１０Ｂの角度調整をより広範囲で行うことができ、様々な傾斜角度に傾斜した地面１２Ａの傾斜角度の範囲で適用できる。
【００８２】
以上、本発明のフェンスの好ましい一実施形態について説明したが、本発明は、上述した実施形態に制限されるものではなく、適宜変更が可能である。
例えば、前記実施形態においては、上側筒状体３１，３１Ａ，３１Ｂ、下側筒状体５１、移動用スリット３２１，５２１の長さを、様々な長さに設定しているが、これに限定されず、フェンスを設置する地面１２Ａの傾斜角度やフェンスの大きさなどにより、適宜設定できる。
【符号の説明】
【００８３】
１０  フェンス
１１  支柱
２０  フェンス本体
３０，３０Ａ，３０Ｂ  上部側取付部（回転部材）
３１，３１Ａ，３１Ｂ  上側筒状体（回転部材本体）
３４  上部フック部（フック部）
３７  スペーサ部材
３８  第１上部フック部（フック部）
３９  第２上部フック部（フック部）
５０  下部側取付部（回転部材）
５１  下側筒状体（回転部材本体）
５７  スペーサ部材
５８  第１下部フック部（フック部）
５９  第２下部フック部（フック部）
３１０，５１０  ネジ部材（回転軸部）
３１０ｂ，５１０ｂ  頭部
３２１，５２１  移動用スリット（長穴）
３３１，５３１  前面開口部（開口部）
３３２，５３２  頭部挿入用開口部
３３３，５３３  長尺スリット開口部（長尺開口部）
【図１】
2019019534.tif 000003
【図２】
2019019534.tif 000004
【図３】
2019019534.tif 000005
【図４】
2019019534.tif 000006
【図５】
2019019534.tif 000007
【図６】
2019019534.tif 000008
【図７】
2019019534.tif 000009
【図８】
2019019534.tif 000010
【図９】
2019019534.tif 000011
【図１０】
2019019534.tif 000012
【図１１】
2019019534.tif 000013
【図１２】
2019019534.tif 000014
【図１３】
2019019534.tif 000015
【図１４】
2019019534.tif 000016
【図１５】
2019019534.tif 000017
【図１６】
2019019534.tif 000018
【図１７】
2019019534.tif 000019
【図１８】
2019019534.tif 000020
【図１９】
2019019534.tif 000021
【図２０】
2019019534.tif 000022